(57)【要約】【課題】  正面および背面のどちらからも両面の表示パネルの設定を行えるようにして、両面表示装置の操作性を向上することを目的とする。【解決手段】  正面に画像を表示する第１表示部と、背面に画像を表示する第２表示部と、第１表示部または第２表示部の各種設定操作を行うための入力手段を備えた両面表示装置であって、第１表示部または第２表示部のうち入力手段で操作された一方に、各種設定画面を表示することを特徴とする。【選択図】  図２
2014215331.tif 000002
【特許請求の範囲】
【請求項１】
正面に画像を表示する第１表示部と、背面に画像を表示する第２表示部と、
前記第１表示部または前記第２表示部の各種設定操作を行うための入力手段を備えた両面表示装置であって、
前記第１表示部または前記第２表示部のうち前記入力手段で操作された一方に、各種設定画面を表示することを特徴とする両面表示装置。
【請求項２】
前記入力手段は、正面と背面に設けられたタッチセンサで構成されていることを特徴とする請求項１に記載の両面表示装置。
【請求項３】
前記入力手段は、正面と背面に設けられた受光部とリモコンから構成されていることを特徴とする請求項１に記載の両面表示装置。
【請求項４】
前記入力手段により、前記第１表示部に表示する画像と、前記第２表示部に表示する画像とを切り替えることを特徴とする請求項２または３に記載の両面表示装置。
【請求項５】
前記第１表示部と前記第２表示部の画像表示を制御する制御部が共通化されていることを特徴とする請求項４記載の両面表示装置。
【発明の詳細な説明】
【技術分野】
【０００１】
本発明は、装置の正面および背面に画像を表示する両面表示装置に関する。
【背景技術】
【０００２】
従来から、デパートなどの店舗、駅の構内およびプラットフォームなどに設置され、情報を適時に知らせるためのスタンド方式の表示装置が知られている。これらの多くは、一方側から観察する構造のものであるが、表示する場所や用途によっては、反対側からも観察できるような表示装置の設置が望まれている。
【０００３】
例えば特許文献１には、装置の正面および背面に画像を表示するように構成された両面表示装置が開示されている。
【０００４】
図７は、特許文献１に記載の従来の屋外用両面表示装置２０１を示した図である。図７（ａ）は斜視図であり、図７（ｂ）は分解斜視図である。
【０００５】
図７（ａ）によれば、屋外用両面表示装置２０１は、外部がカバー構造で覆われており、側部カバー２１２、透明保護板２１３及び上部カバー２１４を備えている。また、下部にはベース２０２を備えている。
【０００６】
図７（ｂ）によれば、屋外用両面表示装置２０１のフレームは、ベース２０２、側部フレーム２０３及び上部フレーム２０４を備えて構成されている。側部フレーム２０３は、断面コ字型の金属フレーム材からなり、ベース２０２の左右両側に垂直に立設される。左右の側部フレーム２０３間には、液晶パネルからなる２枚の表示パネル２０８が取付金具２０８ａを介して取り付けられる。一方の表示パネル２０８は、装置正面に画像を表示する正面表示パネルであり、他方の表示パネル２０８は、装置背面に画像を表示する背面表示パネルである。
【０００７】
このような両面表示装置を用いれば、２つの表示パネルそれぞれの表示方向に応じて異なる画像を表示させることにより、より効果的な情報表示が可能である。例えば、店舗の入り口付近に両面表示装置を置く場合、来店する客が見る側の表示パネルには、本日の特価品情報を表示し、退店する客が見る側の表示パネルには、次回特売日の情報を表示することが考えられる。
【先行技術文献】
【特許文献】
【０００８】
【特許文献１】特開２０１０−１０２２２７号公報
【発明の概要】
【発明が解決しようとする課題】
【０００９】
しかしながら、このような両面表示装置は、正面の表示パネルの設定または背面の表示パネルの設定を行う場合、それぞれの表示パネル側に回り込んで操作しなければならず、操作性が悪いという問題があった。
【００１０】
本発明は上記の問題点に鑑みてなされたものであり、正面および背面のどちらからも両面の表示パネルの設定を行えるようにして、両面表示装置の操作性を向上することを目的とする。
【課題を解決するための手段】
【００１１】
本発明の両面表示装置は、正面に画像を表示する第１表示部と、背面に画像を表示する第２表示部と、第１表示部または第２表示部の各種設定操作を行うための入力手段を備えた両面表示装置であって、第１表示部または第２表示部のうち入力手段で操作された一方に、各種設定画面を表示することを特徴とする。
【００１２】
また、入力手段は、正面と背面に設けられたタッチセンサで構成されていることを特徴とする。
【００１３】
また、入力手段は、正面と背面に設けられた受光部とリモコンから構成されていることを特徴とする。
【００１４】
また、入力手段により、第１表示部に表示する画像と第２表示部に表示する画像とを切り替えることを特徴とする。
【００１５】
また、第１表示部と第２表示部の画像表示を制御する制御部が共通化されていることを特徴とする。
【発明の効果】
【００１６】
正面および背面のどちらからも両面の設定を行うことが可能であり、両面表示装置の操作性を向上することができる。
【図面の簡単な説明】
【００１７】
【図１】実施形態１に係る両面表示装置の斜視図である。
【図２】実施形態１に係る両面表示装置の機能ブロック図である。
【図３】ＵＩ表示画面の一例を示した図である。
【図４】他のＵＩ表示画面を示した図である。
【図５】実施形態２に係る両面表示装置の斜視図である。
【図６】実施形態２に係る両面表示装置の機能ブロック図である。
【図７】従来の両面表示装置の斜視図である。
【発明を実施するための形態】
【００１８】
（第１の実施形態）
以下、本発明の実施形態について図面を用いて詳細に説明する。なお、図面や以下の記述中で示す内容は例示であって、本発明の範囲は、図面や以下の記述中で示すものに限定されない。また、本発明の図面において、同一の参照符号は、同一部分または相当部分を表わすものとする。
【００１９】
（実施形態１）
図１は、実施形態１に係る両面表示装置１の斜視図である。両面表示装置１は、第１表示部４ａ、第２表示部４ｂ、入力手段５ａ、入力手段５ｂ、制御部６、筐体部７からなる。
【００２０】
第１表示部４ａは、筐体部７の正面に備えられた画像データを表示する部分であり、液晶表示パネルや有機ＥＬ表示パネル等の表示パネルを有する。図１では隠れているが、筐体部７の背面には、第１表示部４ａと背中合わせにもう一方の第２表示部４ｂが備えられている。これにより両面表示装置１は、筐体部７の正面側と背面側の２方向に向けて、画像を表示することができる。
【００２１】
本実施形態では、両面表示装置１の第１表示部４ａおよび第２表示部４ｂを構成している表示パネルは、ＴＦＴ（Thin Film Transistor）基板とＣＦ（Color Filter）基板との間に液晶を封入して構成される液晶表示パネルによって実現されているものとする。なお、その他の方式の表示パネルを用いても良いことは、言うまでもない。
【００２２】
また、筐体部７の正面には第１表示部４ａを操作するための入力手段５ａが備えられており、筐体部７の背面には第２表示部４ｂを操作するための入力手段５ｂが備えられている。入力手段５ａおよび入力手段５ｂは、例えば、タッチセンサ１６で構成されている。
【００２３】
なお、図１では、第１表示部４ａと入力手段５ａを別々に示しているが、第１表示部４ａ上にタッチセンサ１６を配置したタッチパネルの構成であってもよい。同様に入力手段５ｂもタッチパネルで構成してもよい。
【００２４】
また、両面表示装置１は、図示しない電源やバックライト、第１表示部４ａおよび第２表示部４ｂの表示状態を制御するための制御部６を筐体部７に内蔵している。
【００２５】
図２は、実施形態１に係る両面表示装置１の機能ブロック図である。第１表示部４ａは、正面側に画像を表示するための第１表示パネル１０ａおよび第１駆動回路１１ａを備え、第２表示部４ｂは、背面側に画像を表示するための第２表示パネル１０ｂおよび第２駆動回路１１ｂを備える。
【００２６】
制御部６は、第１表示部４ａの画像表示を制御する第１メイン基板１４ａと、第２表示部４ｂの画像表示を制御する第２メイン基板１４ｂを備える。第１メイン基板１４ａは、第１画像処理回路１２ａおよび第１制御マイコン１３ａを有する。また、第２メイン基板１４ｂは、第２画像処理回路１２ｂおよび第２制御マイコン１３ｂを有する。
【００２７】
このように、第１メイン基板１４ａと第２メイン基板１４ｂは、１枚の表示パネルを制御する通常のメイン基板としても使用できる共通設計となっている。このため、設計コストの削減と部品の共通化が図られ、両面表示装置１を安価で提供することが可能となる。
【００２８】
第１画像処理回路１２ａは、外部から供給された映像信号を後述する設定条件に合わせて加工して表示データを生成し、第１駆動回路１１ａに送って第１表示パネル１０ａに画像として表示させる。また、第２画像処理回路１２ｂは、外部から供給された信号を後述する設定条件に合わせて加工して表示データを生成し、第２駆動回路１１ｂに送って第２表示パネル１０ｂに画像として表示させる。
【００２９】
第１制御マイコン１３ａと第２制御マイコン１３ｂは、通常、電源やバックライト等を制御するものであるが、両面表示装置１では次に述べる特別な機能を追加してプログラムされている。
【００３０】
第１制御マイコン１３ａは、正面側の入力手段５ａで操作が行われると、第１画像処理回路１２ａをマスタとして動作させることにより、正面側の第１表示部４ａにＵＩ（User Interface）画面を表示して各種設定を行えるようにする。同時に、第２画像処理回路１２ｂをスレーブとして動作させることにより、正面側の第１表示部４ａに表示したＵＩ画面と入力手段５ａを用いて、背面側の第２表示部４ｂの各種設定を行えるようにしている。
【００３１】
また、第２制御マイコン１３ｂは、背面側の入力手段５ｂで操作が行われると、第２画像処理回路１２ｂをマスタとして動作させることにより、背面側の第２表示部４ｂにＵＩ画面を表示して各種設定を行えるようにする。同時に、第１画像処理回路１２ａをスレーブとして動作させることにより、背面側の第２表示部４ｂに表示したＵＩ画面と入力手段５ｂを用いて、正面側の第１表示部４ａの各種設定を行えるようにしている。
【００３２】
ＵＩ画面を通じての設定操作は、入力信号の切替、輝度調整、色度調整、音量調整等の各種設定が含まれる。ここで設定された条件は、第１画像処理回路１２ａまたは第２画像処理回路１２ｂに送られて表示データに反映される。
【００３３】
図３は、両面表示装置１の斜視図にＵＩ画面の表示例を示したものである。図３に示したＵＩ画面は正面側の第１表示部４ａに表示されたものであり、第１表示部４ａの表示設定を行うための第１ＵＩ画面１５ａと、第２表示部４ｂの表示設定を行うための第２ＵＩ画面１５ｂから構成されている。
【００３４】
これらの第１ＵＩ画面１５ａおよび第２ＵＩ画面１５ｂは、正面側の入力手段５ａで操作された場合は正面側の第１表示部４ａに一緒に表示され、背面側の入力手段５ａで操作された場合は背面側の第２表示部４ｂに一緒に表示される。このため、正面側と背面側のどちらからも両面の表示設定を行うことができるので、両面表示装置１の操作性を向上することができる。
【００３５】
図４は、別のＵＩ画面を示すものであり、さらに詳細な設定を行うことができるように、正面側の第１表示部４ａにおいて第１ＵＩ画面１５ａと第２ＵＩ画面１５ｂを切り替えるようにしたものである。例えば、正面側の入力手段５ａで操作された場合、最初に第１ＵＩ画面１５ａの詳細設定メニューを正面側の第１表示部４ａに表示した後、入力手段５ａでスライド入力（ページ送り）等の操作を行うことにより、第１表示部４ａの表示を第２ＵＩ画面１５ｂの詳細設定メニューに切り替わるようにする。
【００３６】
上記構成によれば、２つのＵＩ画面を表示するには表示パネルのサイズが小さい場合であっても、第１ＵＩ画面１５ａまたは第２ＵＩ画面１５ｂに切り替えられることで表示画面を有効に利用することが可能となり、詳細な表示設定を行うことができる。
【００３７】
（実施形態２）
図５は、実施形態２に係る両面表示装置２の斜視図である。実施形態２の両面表示装置２は、リモコン８と、受光部９ａおよび受光部９ｂを用いて、入力手段５ａ、入力手段５ｂを構成したことを特徴としている。また、入力手段５ａおよび入力手段５ｂの上記構成に合わせて制御部６の構成を変更している。他の構成は実施形態１と同じであるため、同じ符号を付記することにより、重複する説明は省略する。
【００３８】
実施形態２の両面表示装置２において、正面側の入力手段５ａは、リモコン８と正面側に配置された受光部９ａで構成されている。また、背面側の入力手段５ｂは、リモコン８と背面側に配置された受光部９ｂで構成されている。なお、リモコン８は、入力手段５ａ、入力手段５ｂにそれぞれ１台ずつ用意してもよいが、１台で共用することも可能である。
【００３９】
図６は、実施形態２に係る両面表示装置２の機能ブロック図である。実施形態２の両面表示装置２は、制御部６の構成が実施形態１と異なり、判定回路１８と、切替回路１９を備えている。
【００４０】
判定回路１８は、正面側の入力手段５ａ、背面側の入力手段５ａのどちら側で操作されているか判定する回路である。すなわち、判定回路１８は、正面側の受光部９ａおよび背面側の受光部９ｂと接続されており、リモコン８の光信号が受光部９ａで受信されると正面側の入力手段５ａで操作されていると判定し、リモコン８の光信号が受光部９ｂで受信されると背面側の入力手段５ｂで操作されていると判定する。判定回路１８の判定結果は、リモコン８の操作信号とともに制御マイコン１３に送られる。
【００４１】
制御マイコン１３は、正面側の入力手段５ａで操作が行われると、第１画像処理回路１２ａをマスタとして動作させることにより、正面側の第１表示部４ａにＵＩ画面を表示して各種設定を行えるようにする。同時に、第２画像処理回路１２ｂをスレーブとして動作させることにより、正面側の第１表示部４ａに表示したＵＩ画面と入力手段５ａを用いて、背面側の第２表示部４ｂの各種設定を行えるようにしている。
【００４２】
また、制御マイコン１３は、背面側の入力手段５ｂで操作が行われると、第２画像処理回路１２ｂをマスタとして動作させることにより、背面側の第２表示部４ｂにＵＩ画面を表示して各種設定を行えるようにする。同時に、第１画像処理回路１２ａをスレーブとして動作させることにより、背面側の第２表示部４ｂに表示したＵＩ画面と入力手段５ｂを用いて、正面側の第１表示部４ａの各種設定を行えるようにしている。
【００４３】
切替回路１９は、制御マイコン１３によって制御されており、リモコン８を操作することにより、外部からの映像信号を第１画像処理回路１２ａと第２画像処理回路１２ｂのどちらかに切り替えて供給する回路である。
【００４４】
上記のとおり、実施形態２の両面表示装置２は、正面側の入力手段５ａと、背面側の入力手段５ｂのどちら側で操作されているか判定する判定回路１８を備えることにより、制御マイコン１３を１つに減らせることができるので、高価な部品点数を削減して製造コストを低減することが可能である。また、実施形態２の両面表示装置２は、切替回路１９を備えることにより、第１表示部４ａと第２表示部４ｂに表示する画像を入れ替えることが可能となっている。
【００４５】
また、実施形態２の両面表示装置２の構成によれば、第１表示部４ａと第２表示部４ｂの画像表示を制御する制御部６が共通化されているので、一系統の入力信号により両面それぞれに表示する為のデータの作成が可能になり、Ａ面とＢ面のそれぞれに映像等の入力信号を入れる必要がなくなる。また、これにより両面の同期が容易になると共に、部品数削減が可能になるため、両面表示装置２の小型化・低コスト化が可能となる。
【００４６】
以上、本発明の実施形態１、２について具体的に説明を行ったが、本発明はそれらに限定されるものではない。上述した２つの実施形態に開示された技術的手段を適宜組合せて得られる実施形態についても本発明の技術的範囲に含まれる。
【００４７】
また、上記の実施形態１、２の説明では、機能を実現するための各構成をそれぞれ異なる部位であるとして説明を行っているが、実際にこのように明確に分離して認識できる部位を有していなければならないわけではない。機能を実現するための各構成要素が、例えば実際にそれぞれ異なる部位を用いて構成されていてもかまわないし、あるいは、全ての構成要素を１つのＬＳＩに実装していてもかまわない。すなわち、どういう実装形態であれ、機能として各構成要素を有していれば良い。
【符号の説明】
【００４８】
１  両面表示装置
２  両面表示装置
４ａ  第１表示部
４ｂ  第２表示部
５ａ  入力手段
５ｂ  入力手段
６  制御部
７  筐体部
８  リモコン
９ａ  受光部
９ｂ  受光部
１０ａ  第１表示パネル
１０ｂ  第２表示パネル
１１ａ  第１駆動回路
１１ｂ  第２駆動回路
１２ａ  第１画像処理回路
１２ｂ  第２画像処理回路
１３  制御マイコン
１３ａ  第１制御マイコン
１３ｂ  第２制御マイコン
１４ａ  第１メイン基板
１４ｂ  第２メイン基板
１５ａ  第１ＵＩ画面
１５ｂ  第２ＵＩ画面
１６  タッチセンサ
１８  判定回路
１９  切替回路
【図１】
2014215331.tif 000003
【図２】
2014215331.tif 000004
【図３】
2014215331.tif 000005
【図４】
2014215331.tif 000006
【図５】
2014215331.tif 000007
【図６】
2014215331.tif 000008
【図７】
2014215331.tif 000009